(57)【特許請求の範囲】
【請求項１】
画面を表示する表示部と、
前記表示部の画面に対するタッチ操作を検知するためのタッチパネル部と、
前記タッチパネル部の出力に基づき前記表示部の画面に対するタッチ操作を検知し、前記表示部の画面を切り替えさせる制御部と、
前記表示部の画面内に表示され得る予め定められた各ソフトキーの使用回数を記憶する記憶部と、を備え、
前記表示部は、画面内にタブを表示し、前記タブをタッチするタッチ操作が前記タッチパネル部に対して行われると、前記タブに対応付けられた画面に表示画面を切り替え、
前記表示部の画面の複数点をタッチするタッチ操作である多使用キー表示操作が前記タッチパネル部に対して行われたとき、
前記制御部は、使用回数が最も多い最上位の前記ソフトキーから予め定められた順位までの前記ソフトキーを多使用キーとして選択し、前記多使用キー表示操作時における複数点のタッチ位置のうちいずれかのタッチ位置が前記タブの表示位置であったとき、前記タブに対応付けられた画面内に表示すべき前記ソフトキー以外の前記ソフトキーのうちから前記多使用キーを選択し、
前記表示部は、現在表示中の画面内に、前記多使用キーを一括表示し、前記現在表示中の画面内に前記多使用キー以外の前記ソフトキーを表示している場合、前記多使用キー以外の前記ソフトキーが前記多使用キーと重ならないように、前記多使用キー以外の前記ソフトキーを移動させることを特徴とする表示入力装置。
【請求項２】
前記制御部は、前記多使用キー表示操作時にタッチされた複数のタッチ点と同数の前記ソフトキーを前記多使用キーとして選択し、
前記表示部は、前記多使用キー表示操作時にタッチされた複数のタッチ点のそれぞれに前記多使用キーが１つずつ重なるように、前記多使用キーを表示することを特徴とする請求項１に記載の表示入力装置。
【請求項３】
前記表示部は、前記多使用キーを一括表示した画面の表示中に、前記多使用キーをタッチするタッチ操作が前記タッチパネル部に対して行われると、タッチ操作を受けた前記多使用キーに対応付けられた画面に表示画面を切り替え、
前記表示部は、前記多使用キーに対応付けられた画面から元の画面に表示画面を切り替えるとき、前記多使用キーの一括表示は行わないことを特徴とする請求項１または２に記載の表示入力装置。
【請求項４】
前記表示部は、前記多使用キーを一括表示した画面の表示中に、終了操作として予め定められたタッチ操作がタッチパネル部に対して行われると、前記多使用キーの一括表示を終了することを特徴とする請求項１〜３のいずれか１項に記載の表示入力装置。
【請求項５】
前記タッチパネル部は、前記多使用キーが一括表示された画面を前記表示部が表示しているときに、前記多使用キー表示操作と同じ操作が再度行われると、前記多使用キー表示操作と同じ操作を前記終了操作として受け付けることを特徴とする請求項４に記載の表示入力装置。
【請求項６】
請求項１〜５のいずれか１項に記載の表示入力装置を備えていることを特徴とする画像形成装置。
【発明の詳細な説明】
【技術分野】
【０００１】
本発明は、表示入力装置およびそれを備えた画像形成装置に関する。
【背景技術】
【０００２】
従来、画像形成装置などに設置される表示入力装置が知られている（たとえば、特許文献１参照）。特許文献１の表示入力装置は、コピー機能など複数種の機能を搭載する複合機に設置される。また、特許文献１の表示入力装置は、設定パネルを含み、その設定パネルを介して、用紙サイズ、倍率、濃度およびコピー枚数などコピー機能に関する設定をユーザーから受け付ける。
【先行技術文献】
【特許文献】
【０００３】
【特許文献１】特開２００６−１１９１７６号公報
【発明の概要】
【発明が解決しようとする課題】
【０００４】
たとえば、表示入力装置は、ユーザーによる設定が可能な複数の設定項目にそれぞれ対応する複数のソフトキー（項目選択キー）を表示する。そして、表示入力装置は、複数のソフトキーのうちいずれかがユーザーによってタッチされると、タッチされたソフトキーに対応する設定項目の設定画面を表示し、ユーザーから設定を受け付ける。
【０００５】
ここで、画像形成装置では、ユーザーによる設定が可能な設定項目が多数に及ぶ。このため、画像形成装置に設置される表示入力装置には、複数の設定項目をグループ分けし、複数の設定項目にそれぞれ対応する複数のソフトキー（項目選択キー）をグループごとに別画面で表示するものがある。しかし、このような表示入力装置では、現在表示中の画面内に所望のソフトキーが表示されていなければ、予め定められた画面切替操作を行うことによって表示画面を切り替えつつ、所望のソフトキーを検索しなければならない。場合によっては、所望のソフトキーを見つけ出すまでに、何回も画面切替操作を行わなければならない。したがって、ユーザーにとっては利便性が悪い。
【０００６】
本発明は、上記課題を解決するためになされたものであり、複数のソフトキーのうちから所望のソフトキーを検索するときの利便性を向上させることが可能な表示入力装置およびそれを備えた画像形成装置を提供することを目的とする。
【課題を解決するための手段】
【０００７】
上記目的を達成するため、本発明の表示入力装置は、画面を表示する表示部と、表示部の画面に対するタッチ操作を検知するためのタッチパネル部と、タッチパネル部の出力に基づき表示部の画面に対するタッチ操作を検知し、表示部の画面を切り替えさせる制御部と、表示部の画面内に表示され得る予め定められた各ソフトキーの使用回数を記憶する記憶部と、を備え、表示部の画面の複数点をタッチするタッチ操作である多使用キー表示操作がタッチパネル部に対して行われたとき、制御部は、使用回数が最も多い最上位のソフトキーから予め定められた順位までのソフトキーを多使用キーとして選択し、表示部は、現在表示中の画面内に、多使用キーを一括表示する。
【０００８】
本発明の構成では、タッチパネル部に対して多使用キー表示操作を行うと、表示部に多使用キーが一括表示される。ここで、一括表示される多使用キーは、使用回数が最も多い最上位のソフトキーから予め定められた順位までのソフトキーであり、過去に何回も使用した使用頻度の高いソフトキーである。したがって、過去に何回も使用した使用頻度の高いソフトキーの使用を所望する場合には、多使用キー表示操作を１回行うだけで、多使用キーが一括表示された画面内に所望のソフトキーが表示される。これにより、複数のソフトキーのうちから所望のソフトキーを検索するときの利便性が向上する。
【発明の効果】
【０００９】
以上のように、本発明の構成では、複数のソフトキーのうちから所望のソフトキーを検索するときの利便性が向上する。
【図面の簡単な説明】
【００１０】
【図１】本発明の一実施形態による複合機の一例を示す図
【図２】本発明の一実施形態による操作パネルの一例を示す図
【図３】本発明の一実施形態による複合機（操作パネル）のハードウェア構成の一例を示す図
【図４】本発明の一実施形態による操作パネルに表示される画面（コピー機能の項目選択画面）の一例を示す図
【図５】本発明の一実施形態による操作パネルに表示される画面（送信機能の項目選択画面）の一例を示す図
【図６】本発明の一実施形態による操作パネルに表示される画面（用紙選択の詳細設定画面）の一例を示す図
【図７】本発明の一実施形態による操作パネルに表示される画面（原稿サイズの詳細設定画面）の一例を示す図
【図８】本発明の一実施形態による操作パネルに表示される画面（コピー機能の項目選択画面）の一例を示す図
【図９】本発明の一実施形態による操作パネルに対して行われる多使用キー表示操作の一例を説明するための図
【図１０】本発明の一実施形態による操作パネルに対して多使用キー表示操作を行ったときに表示される画面の一例を示す図
【図１１】本発明の一実施形態による操作パネルに対して多使用キー表示操作を行ったときに表示される画面の一例を示す図
【図１２】本発明の一実施形態による操作パネルに対して多使用キー表示操作を行ったときに表示される画面の一例を示す図
【図１３】本発明の一実施形態による操作パネルに対して行われる多使用キー表示操作の一例を説明するための図
【図１４】本発明の一実施形態による操作パネルにおいて項目選択画面（多使用キーが一括表示された画面）から詳細設定画面に表示画面を切り替えるときの操作を説明するための図
【図１５】本発明の一実施形態による操作パネルにおいて詳細設定画面から項目選択画面（多使用キーが一括表示されていない画面）に表示画面を切り替えるときの操作を説明するための図
【図１６】本発明の一実施形態による操作パネルにおいて多使用キーの一括表示を終了するときの操作を説明するための図
【図１７】本発明の一実施形態による操作パネルにおいて多使用キーを一括表示するときの制御の流れを説明するためのフローチャート
【発明を実施するための形態】
【００１１】
以下に、本発明の一実施形態による画像形成装置について、コピー機能や送信機能（ファックス機能）など複数種の機能が搭載された複合機を例にとって説明する。
【００１２】
＜複合機の全体構成＞
図１に示すように、複合機１００（「画像形成装置」に相当）は、画像読取部１および印刷部２を備える。画像読取部１は、原稿を読み取って画像データを生成する。印刷部２は、用紙搬送路２１に沿って用紙を搬送するとともに、画像データに基づきトナー像を形成する。そして、印刷部２は、搬送中の用紙にトナー像を転写（印刷）し、印刷済みの用紙を排出トレイ２２に排出する。
【００１３】
印刷部２は、給紙部３、用紙搬送部４、画像形成部５および定着部６によって構成される。給紙部３は、ピックアップローラー３１および給紙ローラー対３２を含み、用紙カセット３３に収容された用紙を用紙搬送路２１に供給する。用紙搬送部４は、複数の搬送ローラー対４１を含み、用紙搬送路２１に沿って用紙を搬送する。
【００１４】
画像形成部５は、感光体ドラム５１、帯電装置５２、露光装置５３、現像装置５４、転写ローラー５５およびクリーニング装置５６を含む。そして、画像形成部５は、画像データに基づきトナー像を形成し、そのトナー像を用紙に転写する。定着部６は、加熱ローラー６１および加圧ローラー６２を含み、用紙に転写されたトナー像を加熱および加圧して定着させる。
【００１５】
また、複合機１００は、操作パネル７を備える。操作パネル７は、複合機１００の正面側（たとえば、図１の破線で示された箇所）に配置される。なお、操作パネル７は、「表示入力装置」に相当する。
【００１６】
操作パネル７には、図２に示すように、操作表示部７１が設けられる。操作表示部７１は、表示部７２およびタッチパネル部７３を含む。表示部７２は、液晶表示パネルや有機ＥＬ表示パネルなどの表示パネルである。タッチパネル部７３は、複数点のタッチ位置を同時に検知可能なマルチタッチパネルであり、表示部７２の表示面を覆うように配置される。そして、操作表示部７１は、各種設定を受け付けるためのソフトキーやメッセージなどを表示部７２に表示し、タッチパネル部７３を介して各種設定を受け付ける。なお、操作パネル７には、スタートキー、ストップキー、リセットキーおよびテンキーなど種々のハードキー７４も設けられる。
【００１７】
＜複合機のハードウェア構成＞
図３に示すように、複合機１００は、主制御部１１０を備える。主制御部１１０は、ＣＰＵ１１１、画像処理部１１２および記憶部１１３を含む。画像処理部１１２は、画像処理専用のＡＳＩＣなどからなり、画像データに対して画像処理（拡大／縮小、濃度変換およびデータ形式変換など）を施す。記憶部１１３は、ＲＯＭおよびＲＡＭなどからなり、制御用のプログラムおよびデータを記憶する。そして、主制御部１１０は、記憶部１１３に記憶されたプログラムおよびデータに基づき、画像読取部１および印刷部２（給紙部３、用紙搬送部４、画像形成部５および定着部６）の各部の動作を制御する。
【００１８】
また、主制御部１１０は、パネル制御部１２０と接続される。パネル制御部１２０は、パネルＣＰＵ１２１およびパネル記憶部１２２を含み、主制御部１１０から指示を受け、表示部７２の表示動作を制御したり、表示部７２の画面に対するタッチ操作をタッチパネル部７３の出力に基づき検知したりする。また、パネル制御部１２０は、ハードキー７４に対する操作も検知する。なお、パネル制御部１２０は、「制御部」に相当する。
【００１９】
たとえば、パネル制御部１２０は、ソフトキーなどを配置した画面を表示部７２に表示させ、そのソフトキーに対してタッチ操作が行われると、タッチパネル部７３の出力に基づきタッチ操作を受けたソフトキーを検知する。そして、パネル制御部１２０は、検知したソフトキーに対応付けられた画面が表示されるように、表示画面の切り替えを表示部７２に行わせる。
【００２０】
また、主制御部１１０は、通信部１３０と接続される。通信部１３０は、外部のコンピューター２００とネットワークを介して通信可能に接続される。これにより、コンピューター２００から送信された画像データに基づき印刷を行うことができるとともに、画像読取部１による原稿の読み取りによって得られた画像データをコンピューター２００に送信することもできる。また、通信部１３０にモデムなどを内蔵してもよい。この場合には、電話回線などのネットワークを介して、外部のファクシミリ３００とファックス通信することができる。
【００２１】
＜操作パネルの画面＞
操作パネル７は、主電源が投入されると、図示しないメインメニュー画面（初期画面）を表示する。そして、操作パネル７は、複合機１００に搭載される複数種の機能のうちいずれの機能を使用するかの選択指示をユーザーから受け付ける。
【００２２】
また、操作パネル７は、メインメニュー画面において使用機能が選択されると、項目選択画面８（図４および図５参照）を表示する。この項目選択画面８には、複数の設定項目のうちから設定内容（設定値）を設定する設定項目の選択をユーザーから受け付けるための項目選択キーＫが配置される。たとえば、操作パネル７は、使用機能としてコピー機能が選択されると、図４に示すような項目選択画面８１を表示し、使用機能として送信機能が選択されると、図５に示すような項目選択画面８２を表示する。なお、項目選択キーＫは、「ソフトキー」に相当する。以下、コピー機能の設定画面８（８１）を例にとって詳細に説明する。
【００２３】
コピー機能の設定画面８１には、図４に示すように、コピー機能の複数の設定項目にそれぞれ対応する複数の項目選択キーＫが配置される。図４には、一例として、「用紙選択」、「原稿サイズ」、「原稿セット向き」、「ソート／仕分け」、「原稿サイズ混載」および「排紙先」の各設定項目にそれぞれ対応する複数の項目選択キーＫを図示している。そして、操作パネル７は、複数の項目選択キーＫのうちいずれかの項目選択キーＫに対するタッチ操作を受け付けると、そのタッチ操作を受けた項目選択キーＫに対応する設定項目の設定内容の設定を受け付けるための画面であり、項目選択画面８１の１つ下の階層の画面である詳細設定画面９（図６および図７参照）を表示する。
【００２４】
たとえば、項目選択画面８１において、「用紙選択」という項目選択キーＫに対するタッチ操作が行われると、操作パネル７は、図６に示すような用紙選択キーＳＫ１を複数配置した詳細設定画面９１を表示する。この詳細設定画面９１では、印刷に用いる用紙サイズ（給紙元となる用紙カセット３３）を設定することができる。たとえば、「カセット１（Ａ４）」という用紙選択キーＳＫ１をタッチすると、印刷に用いる用紙サイズがＡ４サイズに設定される。
【００２５】
また、項目選択画面８１において、「原稿サイズ」という項目選択キーＫに対するタッチ操作が行われると、操作パネル７は、図７に示すような原稿サイズ選択キーＳＫ２を複数配置した詳細設定画面９２を表示する。この詳細設定画面９２では、原稿の読み取りサイズを設定することができる。たとえば、「Ａ４」という原稿サイズ選択キーＳＫ２をタッチすると、原稿の読み取りサイズがＡ４サイズに設定される。
【００２６】
なお、詳細設定画面９には、決定キーＤＫおよびキャンセルキーＣＫが配置される。決定キーＤＫをタッチした場合には、詳細設定画面９で設定した設定内容が確定され、表示画面が詳細設定画面９から項目選択画面８に切り替わる。キャンセルキーＣＫをタッチした場合には、詳細設定画面９で設定した設定内容がキャンセルされる。
【００２７】
ここで、コピー機能の設定項目は、「用紙選択」、「原稿サイズ」、「原稿セット向き」、「ソート／仕分け」、「原稿サイズ混載」および「排紙先」以外にも多数ある。一例を挙げると、「濃度」、「原稿画質」、「シャープネス」、「うら写り防止」、「エコプリント」、「地色調整」、「縮小/拡大」、「ページ集約」、「連続読み込み」、「自動画像回転」、「白黒反転」、「ジョブ終了通知」、「文書名入力」および「再コピー」などである。このため、項目選択画面８１には、図４に示すように、複数のタブＴＢが配置される。
【００２８】
操作パネル７は、複数のタブＴＢのうちいずれかのタブＴＢに対するタッチ操作を受け付けると、タッチ操作を受けたタブＴＢに対応付けられた項目選択画面８を表示する。たとえば、図４に示す項目選択画面８１は、「原稿／用紙／仕上げ」というタブＴＢに対応付けられた項目選択画面８１である。この図４に示す項目選択画面８１の表示中に、たとえば、「画質」というタブＴＢに対するタッチ操作が行われると、操作パネル７は、図４に示す項目選択画面８１から、図８に示すような項目選択画面８１に表示画面を切り替える。
【００２９】
図８に示す項目選択画面８１に配置される項目選択キーＫは、「画質」に係る設定項目に対応するものであり、図４に示す項目選択画面８１に配置される項目選択キーＫとは異なる。図８には、一例として、「濃度」、「原稿画質」、「シャープネス」、「うら写り防止」、「エコプリント」および「地色調整」の各設定項目にそれぞれ対応する複数の項目選択キーＫを図示している。そして、これら複数の項目選択キーＫのうちいずれかの項目選択キーＫに対するタッチ操作が行われた場合にも、操作パネル７は、タッチ操作を受けた項目選択キーＫに対応する設定項目の設定内容の設定を受け付けるための詳細設定画面９（対応する画面は図示しない）を表示する。
【００３０】
＜多使用キーの一括表示＞
本実施形態では、表示部７２に表示され得る各項目選択キーＫの使用回数（タッチパネル部７３を介してタッチ操作を受けた回数）を記憶する。たとえば、各項目選択キーＫの使用回数を示す回数情報１２３がパネル記憶部１２２に記憶される（図３参照）。
【００３１】
そして、パネル制御部１２０は、予め定められたタッチ操作である多使用キー表示操作がタッチパネル部７３に対して行われると、複数の項目選択キーＫのうちから使用回数が多い項目選択キーＫを多使用キー（以下、多使用キーに符号ＭＫを付して説明する場合がある）として選択し、その選択した全ての多使用キーＭＫを表示部７２に一括して表示させる。以下、コピー機能の項目選択画面８（８１）を例にとって詳細に説明する。なお、以下の説明では、多使用キー表示操作を受ける直前に、図４に示す項目選択画面８が表示されていたとする。
【００３２】
パネル制御部１２０は、表示部７２が項目選択画面８を表示しているときに、タッチパネル部７３に対して多使用キー表示操作が行われたか否かを判断する。具体的には、パネル制御部１２０は、図９に示すように、表示部７２の画面の５点（図９では破線で示す）を同時にタッチするタッチ操作をタッチパネル部７３が受け付けると、タッチパネル部７３に対して多使用キー表示操作が行われたと判断する。なお、多使用キー表示操作として受け付けるタッチ操作は特に限定されない。たとえば、２〜４点を同時にタッチするタッチ操作を多使用キー表示操作としてもよい。
【００３３】
このような多使用キー表示操作がタッチパネル部７３に対して行われると、パネル制御部１２０は、回数情報１２３に基づき、複数の項目選択キーＫの各使用回数を判別する。そして、パネル制御部１２０は、複数の項目選択キーＫのうち、使用回数が最も多い最上位の項目選択キーＫから予め定められた順位までの項目選択キーＫを多使用キーＭＫとして選択する。
【００３４】
たとえば、５点を同時にタッチするタッチ操作が多使用キー表示操作として定められていれば、使用回数が最も多い項目選択キーＫから５番目に多い項目選択キーＫまでの５個の項目選択キーＫが多使用キーＭＫとして選択される。仮に、４点を同時にタッチするタッチ操作が多使用キー表示操作として定められていれば、使用回数が最も多い項目選択キーＫから４番目に多い項目選択キーＫまでの４個の項目選択キーＫが多使用キーＭＫとして選択される。
【００３５】
なお、多使用キーＭＫとして選択される項目選択キーＫの個数は特に限定されず、任意に変更可能である。たとえば、５点を同時にタッチするタッチ操作が多使用キー表示操作として定められていても、多使用キーＭＫとして選択される項目選択キーＫの個数が４個以下であってもよいし、６個以上であってもよい。
【００３６】
多使用キーＭＫを選択した後、パネル制御部１２０は、図１０に示すように、選択した全ての多使用キーＭＫの一括表示を表示部７２に行わせる。このとき、表示部７２は、多使用キー表示操作時にタッチされたタッチ点（５点）のそれぞれに多使用キーＭＫが１つずつ重なるように、パネル制御部１２０により選択された多使用キーＭＫを現在表示中の項目選択画面８内に表示する。図１０では、「用紙選択」、「原稿サイズ」、「濃度」、「連続読み込み」および「再コピー」の各設定項目にそれぞれ対応する項目選択キーＫが多使用キーＭＫとして選択された例を図示している。また、表示部７２は、多使用キーＭＫ以外の項目選択キーＫ（「原稿セット向き」、「ソート／仕分け」、「原稿サイズ混載」および「排紙先」の各設定項目にそれぞれ対応する項目選択キーＫ）が多使用キーＭＫと重ならないように、多使用キーＭＫ以外の項目選択キーＫを移動させる。
【００３７】
別の例として、現在表示中の項目選択画面８内に多使用キーＭＫを一括表示するとき、図１１に示すように、予め定められた表示領域８Ａ（たとえば、項目選択画面８内の上側領域）に多使用キーＭＫを並べて配置してもよい。
【００３８】
また、現在表示中の項目選択画面８内に多使用キーＭＫを一括表示するとき、図１２に示すように、多使用キーＭＫ以外の項目選択キーＫを非表示としてもよい。あるいは、図示しないが、多使用キーＭＫ以外の項目選択キーＫを互いに重ねて表示してもよいし、多使用キーＭＫ以外の項目選択キーＫの表示をグレーアウトとしてもよい。
【００３９】
なお、「濃度」、「連続読み込み」および「再コピー」の各設定項目にそれぞれ対応する項目選択キーＫは、多使用キー表示操作の受付直前に表示されていた項目選択画面８（図４に示す画面）内には表示されていない。すなわち、当該項目選択キーＫは、現在表示中の項目選択画面８とは異なる項目選択画面８内に表示すべき項目選択キーＫである。しかし、このような場合であっても、表示部７２は、現在表示中の項目選択画面８内に、パネル制御部１２０により選択された多使用キーＭＫを全て表示する。
【００４０】
ここで、図１３に示すように、多使用キー表示操作時における５点のタッチ位置のうちいずれかのタッチ位置がタブＴＢの表示位置であったとき、タッチされたタブＴＢに対応付けられた項目選択画面８内に表示すべき項目選択キーＫのうちから多使用キーＭＫが選択されてもよい。この場合、「画質」というタブＴＢがタッチされていたとすると、「濃度」、「原稿画質」、「シャープネス」、「うら写り防止」、「エコプリント」および「地色調整」の各設定項目にそれぞれ対応する６個の項目選択キーＫ（図８参照）が選択肢とされ、当該６個の項目選択キーＫ以外の項目選択キーＫは選択肢とされない。したがって、当該６個の項目選択キーＫ以外の項目選択キーＫが多使用キーＭＫとして選択（表示）されることはない。
【００４１】
あるいは、多使用キー表示操作時における５点のタッチ位置のうちいずれかのタッチ位置がタブＴＢの表示位置であったとき、タッチされたタブＴＢに対応付けられた項目選択画面８内に表示すべき項目選択キーＫ以外の項目選択キーＫのうちから多使用キーＭＫが選択されてもよい。この場合、「画質」というタブＴＢがタッチされていたとすると、「濃度」、「原稿画質」、「シャープネス」、「うら写り防止」、「エコプリント」および「地色調整」の各設定項目にそれぞれ対応する６個の項目選択キーＫ（図８参照）以外の項目選択キーＫが選択肢とされ、当該６個の項目選択キーＫは選択肢とされない。このため、当該６個の項目選択キーＫが多使用キーＭＫとして選択（表示）されることはない。
【００４２】
多使用キーＭＫの一括表示後、多使用キー表示操作時になされた５点タッチが解除されても、パネル制御部１２０は、多使用キーＭＫの一括表示を表示部７２に続行させる。そして、パネル制御部１２０は、図１４に示すように、多使用キーＭＫが一括表示された項目選択画面８の表示中に、多使用キーＭＫに対するタッチ操作が行われると、タッチ操作を受けた多使用キーＭＫに対応付けられた詳細設定画面９（図６および図７参照）の表示を表示部７２に行わせる。たとえば、「用紙選択」という項目選択キーＫ（多使用キーＭＫ）に対するタッチ操作が行われると、表示部７２は、印刷に用いる用紙サイズの設定を受け付けるための詳細設定画面９１を表示する。
【００４３】
この後、詳細設定画面９において設定完了操作（決定キーＤＫに対するタッチ操作）が行われると、パネル制御部１２０は、図１５に示すように、多使用キー表示操作の受付直前の項目選択画面８（元の画面）への表示画面の切り替えを表示部７２に行わせる。このとき、表示部７２は、多使用キーＭＫの一括表示は行わない。すなわち、このときに表示される項目選択画面８のレイアウトは、多使用キー表示操作の受付直前の画面レイアウトと同じとなる。
【００４４】
また、パネル制御部１２０は、多使用キーＭＫが一括表示された項目選択画面８を表示部７２が表示しているとき、終了操作として予め定められたタッチ操作がタッチパネル部７３に対して行われたか否かを判断する。たとえば、パネル制御部１２０は、多使用キーＭＫが一括表示された項目選択画面８を表示部７２が表示しているときに、多使用キー表示操作と同じ操作をタッチパネル部７３が再度受け付けると、タッチパネル部７３に対して終了操作が行われたと判断する。そして、パネル制御部１２０は、タッチパネル部７３に対して終了操作が行われると、図１６に示すように、表示部７２が行っている多使用キーＭＫの一括表示を終了させる（図１６では、終了操作時のタッチ点を破線で示す）。すなわち、表示部７２は、多使用キー表示操作の受付直前の画面レイアウトと同じレイアウトの項目選択画面８を表示する。
【００４５】
以下に、図１７に示すフローチャートを参照し、多使用キーを一括表示するときの制御の流れを説明する。なお、図１７に示すフローチャートのスタート時点では、表示部７２が項目選択画面８を表示しているとする。そして、タッチパネル部７３に対して多使用キー表示操作が行われたとき、図１７に示すフローチャートがスタートする。
【００４６】
ステップＳ１において、パネル制御部１２０は、複数点のタッチ位置のうちいずれかのタッチ位置がタブＴＢの表示位置であるか否かを判断する。この判断の結果、タブＴＢの表示位置がタッチ位置となっていれば、ステップＳ２に移行し、タブＴＢの表示位置がタッチ位置となっていなければ、ステップＳ３に移行する。
【００４７】
ステップＳ２に移行した場合、パネル制御部１２０は、タッチされたタブＴＢに対応付けられた項目選択画面８内に表示すべき項目選択キーＫ（以下、タブ対応キーＫと称する場合がある）を選択肢として設定する。または、パネル制御部１２０は、タブ対応キーＫ以外の項目選択キーＫを選択肢として設定する。一方で、ステップＳ３に移行した場合、パネル制御部１２０は、全ての項目選択キーＫを選択肢として設定する。
【００４８】
その後、ステップＳ４において、パネル制御部１２０は、回数情報１２３に基づき、選択肢として設定した項目選択キーＫの各使用回数を判別する。そして、パネル制御部１２０は、使用回数が多い多使用キーＭＫを選択する。このとき、パネル制御部１２０は、使用回数が最も多い最上位の項目選択キーＫから予め定められた順位（たとえば、５番目）までの項目選択キーＫを多使用キーＭＫとして選択する。
【００４９】
続いて、ステップＳ５において、パネル制御部１２０は、多使用キーＭＫの一括表示を表示部７２に行わせる。このとき、表示部７２は、多使用キーＭＫと多使用キーＭＫ以外の項目選択キーＫとが重ならないように、多使用キーＭＫ以外の項目選択キーＫを移動させる。
【００５０】
次に、ステップＳ６において、パネル制御部１２０は、設定完了操作または終了操作をタッチパネル部７３が受け付けたか否かを判断する。この判断の結果、設定完了操作または終了操作をタッチパネル部７３が受け付けていれば、ステップＳ７に移行し、設定完了操作または終了操作をタッチパネル部７３が受け付けていなければ、ステップＳ６の判断を繰り返す。そして、ステップＳ７に移行すると、パネル制御部１２０は、多使用キー表示操作の受付直前の画面レイアウトと同じレイアウトの項目選択画面８の表示を表示部７２に行わせる。
【００５１】
本実施形態の操作パネル７（表示入力装置）は、上記のように、画面を表示する表示部７２と、表示部７２の画面に対するタッチ操作を検知するためのタッチパネル部７３と、タッチパネル部７３の出力に基づき表示部７２の画面に対するタッチ操作を検知し、表示部７２の画面を切り替えさせるパネル制御部１２０（制御部）と、表示部７２の画面内に表示され得る予め定められた各項目選択キーＫ（ソフトキー）の使用回数を記憶するパネル記憶部１２２（記憶部）と、を備え、表示部７２の画面の複数点をタッチするタッチ操作である多使用キー表示操作がタッチパネル部７３に対して行われたとき、パネル制御部１２０は、使用回数が最も多い最上位の項目選択キーＫから予め定められた順位までの項目選択キーＫを多使用キーＭＫとして選択し、表示部７２は、現在表示中の画面内に、多使用キーＭＫを一括表示する。
【００５２】
本実施形態の構成では、タッチパネル部７３に対して多使用キー表示操作を行うと、表示部７２に多使用キーＭＫが一括表示される。ここで、一括表示される多使用キーＭＫは、使用回数が最も多い最上位の項目選択キーＫから予め定められた順位までの項目選択キーＫであり、過去に何回も使用した使用頻度の高い項目選択キーＫである。したがって、過去に何回も使用した使用頻度の高い項目選択キーＫの使用を所望する場合には、多使用キー表示操作を１回行うだけで、多使用キーＭＫが一括表示された画面内に所望の項目選択キーＫが表示される。これにより、複数の項目選択キーＫのうちから所望の項目選択キーＫを検索するときの利便性が向上する。
【００５３】
また、本実施形態では、上記のように、表示部７２は、現在表示中の項目選択画面８内に多使用キーＭＫ以外の項目選択キーＫを表示している場合、多使用キーＭＫ以外の項目選択キーＫが多使用キーＭＫと重ならないように、多使用キーＭＫ以外の項目選択キーＫを移動させる。このように構成すれば、多使用キーＭＫを表示するための表示領域を容易に確保することができる。
【００５４】
また、本実施形態では、上記のように、パネル制御部１２０は、多使用キー表示操作時にタッチされた複数のタッチ点と同数の項目選択キーＫを多使用キーＭＫとして選択し、表示部７２は、多使用キー表示操作時にタッチされた複数のタッチ点のそれぞれに多使用キーＭＫが１つずつ重なるように、多使用キーＭＫを表示する。このように構成すれば、多使用キーＭＫと多使用キーＭＫ以外の項目選択キーＫとの区別が容易になる。
【００５５】
また、本実施形態では、上記のように、表示部７２は、多使用キーＭＫを一括表示した項目選択画面８の表示中に、多使用キーＭＫをタッチするタッチ操作がタッチパネル部７３に対して行われると、タッチ操作を受けた多使用キーＭＫに対応付けられた詳細設定画面９に表示画面を切り替える。この後、表示部７２は、詳細設定画面９から元の項目設定画面８に表示画面を切り替えるとき、多使用キーＭＫの一括表示は行わない。このように構成すれば、多使用キーＭＫの一括表示を終了するための専用の操作を行わなくても、多使用キーＭＫが一括表示されていない項目設定画面８に表示画面を戻せるので、ユーザーにとっては利便性が良い。
【００５６】
また、本実施形態では、上記のように、表示部７２は、多使用キーＭＫを一括表示した項目選択画面８の表示中に、終了操作として予め定められたタッチ操作がタッチパネル部７３に対して行われると、多使用キーＭＫの一括表示を終了する。なお、タッチパネル部７３は、多使用キーＭＫを一括表示した項目選択画面８を表示部７２が表示しているときに、多使用キー表示操作と同じ操作が再度行われると、その多使用キー表示操作と同じ操作を終了操作として受け付ける。このように構成すれば、容易に、多使用キーＭＫが一括表示されていない項目設定画面８に表示画面を戻すことができる。
【００５７】
また、本実施形態では、上記のように、パネル制御部１２０は、多使用キー表示操作時における複数点のタッチ位置のうちいずれかのタッチ位置がタブＴＢの表示位置であったとき、当該タブＴＢに対応付けられた項目選択画面８内に表示すべき項目選択キーＫのうちから多使用キーＭＫを選択する、または、当該タブＴＢに対応付けられた項目選択画面８内に表示すべき項目選択キーＫ以外の項目選択キーＫのうちから多使用キーＭＫを選択する。このように構成すれば、不要な項目選択キーＫが多使用キーＭＫとして選択されないようにすることができる。
【００５８】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００５９】
７  操作パネル（表示入力装置）
７２  表示部
７３  タッチパネル部
１００  複合機（画像形成装置）
１２０  パネル制御部（制御部）
１２２  パネル記憶部（記憶部）
Ｋ  項目選択キー（ソフトキー）
ＭＫ  多使用キー
ＴＢ  タブ
【図１】
0006043820.tif 000002
【図２】
0006043820.tif 000003
【図３】
0006043820.tif 000004
【図４】
0006043820.tif 000005
【図５】
0006043820.tif 000006
【図６】
0006043820.tif 000007
【図７】
0006043820.tif 000008
【図８】
0006043820.tif 000009
【図９】
0006043820.tif 000010
【図１０】
0006043820.tif 000011
【図１１】
0006043820.tif 000012
【図１２】
0006043820.tif 000013
【図１３】
0006043820.tif 000014
【図１４】
0006043820.tif 000015
【図１５】
0006043820.tif 000016
【図１６】
0006043820.tif 000017
【図１７】
0006043820.tif 000018